(57)【要約】【課題】防水機能および位置決め機能を備えるとともに、電池が脱落することを防ぐ電池固定構造を提供する。【解決手段】電池固定構造は、電池２０の一方の側部に設けられ、防水部材２１３で覆われた少なくとも１つの嵌合部２１と、電池２０の他方の側部に設けられた少なくとも１つのラッチ部２３と、ケーシング３１に設けられ、嵌合部２１およびラッチ部２３にそれぞれ対応した第１の挿入部２５１および第２の挿入部２５３を有する収納部２５とを備える。【選択図】図２Ａ
0003157084.tif 000002
【実用新案登録請求の範囲】
【請求項１】
電子装置のケーシングの中に電池を位置決めする電池固定構造であって、
前記電池の一方の側部に設けられ、防水部材で覆われた少なくとも１つの嵌合部と、
前記電池の他方の側部に設けられた少なくとも１つのラッチ部と、
前記ケーシングに設けられ、前記嵌合部および前記ラッチ部にそれぞれ対応した第１の挿入部および第２の挿入部を有する収納部と、を備えることを特徴とする電池固定構造。
【請求項２】
前記電池は、電池本体と、係合部が設けられたカバープレートと、を有することを特徴とする請求項１に記載の電池固定構造。
【請求項３】
前記係合部は、前記嵌合部に隣接した箇所に前記カバープレートと一体成形されることを特徴とする請求項２に記載の電池固定構造。
【請求項４】
前記係合部に対応するように前記ケーシング上に設けられた栓部材をさらに備えることを特徴とする請求項３に記載の電池固定構造。
【請求項５】
前記カバープレートは、前記ラッチ部に対応した複数の貫通溝を有することを特徴とする請求項２に記載の電池固定構造。
【請求項６】
前記ラッチ部は、回転して位置決めを行うロック片を有し、前記貫通溝から外側が露出された少なくとも１つの偏心輪を有することを特徴とする請求項５に記載の電池固定構造。
【請求項７】
前記第２の挿入部は、前記ロック片に対応した複数の係合溝であることを特徴とする請求項６に記載の電池固定構造。
【請求項８】
前記収納部の側壁および前記電池の側壁は、互いに対応した案内溝およびガイドレールをそれぞれ有することを特徴とする請求項１に記載の電池固定構造。
【請求項９】
前記第１の挿入部はポートであることを特徴とする請求項１に記載の電池固定構造。
【請求項１０】
前記第２の挿入部は複数の係合溝であることを特徴とする請求項１に記載の電池固定構造。
【考案の詳細な説明】
【技術分野】
【０００１】
本考案は、電池の固定技術に関し、特に、電池固定構造に関する。
【背景技術】
【０００２】
携帯型電子装置は、軽量・薄型で携帯に便利であるという長所を有する上、特殊なマンマシンインタフェース（例えば、タッチパネル式入力インタフェース）、無線通信（例えば、音声およびデータの伝送）、人工知能（例えば、文字および音声の認識）などの機能を備えているため、日常生活で幅広く利用されている。現在よく見かける携帯型電子装置としては、ウルトラモバイルＰＣ（Ｕｌｔｒａ  Ｍｏｂｉｌｅ  Ｐｅｒｓｏｎａｌ  Ｃｏｍｐｕｔｅｒ：ＵＭＰＣ）、翻訳機、パーソナルデジタルアシスタント（Ｐｅｒｓｏｎａｌ  Ｄｉｇｉｔａｌ  Ａｓｓｉｓｔａｎｔ：ＰＤＡ）、ノート型パソコン、オーディオビデオ再生装置、手のひらサイズのゲームなどがある。
【０００３】
電池は、繰り返して充電することができる以外に、電源供給が無い場所でも電子装置を安定的に動作させるために必要な電力を十分供給することができるため、携帯型電子装置にとって非常に重要である。例えば、ウルトラモバイルＰＣは、様々な機能を備えているため、日常生活で利用される以外に、高湿度で埃が多いような劣悪な環境で使用されることが多い工業分野でも利用されている。しかし、ウルトラモバイルＰＣは、電池を設置する箇所が開放され、そこから水分、塵などが浸入する虞があった。そのため、電池の安定的な位置決めを行うとともに、防水機能を高めることが非常に重要であった。
【０００４】
図１を参照する。図１は、特許文献１が開示する従来の携帯型電子装置の電池固定構造を示す斜視図である。図１に示すように、携帯型電子装置１は、ケーシング１１を含む。ケーシング１１の側部には、電子装置１に必要な電源を供給する電池１３を収納するために用いる収納空間１０が設けられている。電池１３は、１対の嵌合部１３１および複数の固定鉤１３３を有する。ケーシング１１は、嵌合部１３１の形状に対応したポート１１１と、複数の可動可能鉤１１３と、を有する。可動可能鉤１１３は、固定鉤１３３に対応するように、収納空間１０に突設されている。これにより、収納空間１０の中に電池１３を配置してポート１１１に嵌合部１３１を挿入すると、各固定鉤１３３が可動可能鉤１１３に係合し、電池１３がロックされる。
【０００５】
しかし、従来技術の構造は、防水機能または防塵機能を備えていない上、側部に設けられた固定鉤１３３と、収納空間１０に突設された可動可能鉤１１３とだけで電池１３を固定支持していたため、保持力が不足する虞があった。さらに、電子装置１自体が小さく持ち難いため、ユーザが不用意に落とすことがあった。その場合、落ちた衝撃で収納空間１０から電池１３が跳ね出し、電源供給が停止したりデータが失われたりすることがあった。
【０００６】
そのため、ユーザが携帯型電子装置を不用意に落としても、落ちた衝撃で収納空間から電池が跳ね出して電源供給が停止することを有効に防ぐことができるように、電池と携帯型電子装置のケーシングとをネジで締結する電池の固定技術が一部メーカにより提供されていた。しかし、この従来の電池固定構造は、収納空間に電池を安定的に固定させることはできたが、電池の着脱が不便であるという欠点があった。
【０００７】
そのため、上述した従来技術の問題点を解決する電池固定構造が求められていた。
【先行技術文献】
【特許文献】
【０００８】
【特許文献１】台湾実用新案登録第３３４３８０号公報
【考案の概要】
【考案が解決しようとする課題】
【０００９】
本考案の目的は、防水機能および位置決め機能を備える電池固定構造を提供することにある。
【００１０】
本考案のもう一つの目的は、電池が脱落することを防ぐ電池固定構造を提供することにある。
【課題を解決するための手段】
【００１１】
上記課題を解決するために、本考案の第１の形態によれば、電子装置のケーシングの中に電池を位置決めする電池固定構造であって、前記電池の一方の側部に設けられ、防水部材で覆われた少なくとも１つの嵌合部と、前記電池の他方の側部に設けられた少なくとも１つのラッチ部と、前記ケーシングに設けられ、前記嵌合部および前記ラッチ部にそれぞれ対応した第１の挿入部および第２の挿入部を有する収納部と、を備えることを特徴とする電池固定構造が提供される。
【００１２】
また、前記電池は、電池本体と、係合部が設けられたカバープレートと、を有することが好ましい。
【００１３】
また、前記係合部は、前記嵌合部に隣接した箇所に前記カバープレートと一体成形されることが好ましい。
【００１４】
また、前記係合部に対応するように前記ケーシング上に設けられた栓部材をさらに備えることが好ましい。
【００１５】
また、前記カバープレートは、前記ラッチ部に対応した複数の貫通溝を有することが好ましい。
【００１６】
また、前記ラッチ部は、回転して位置決めを行うロック片を有し、前記貫通溝から外側が露出された少なくとも１つの偏心輪を有することが好ましい。
【００１７】
また、前記第２の挿入部は、前記ロック片に対応した複数の係合溝であることが好ましい。
【００１８】
また、前記収納部の側壁および前記電池の側壁は、互いに対応した案内溝およびガイドレールをそれぞれ有することが好ましい。
【００１９】
また、前記第１の挿入部はポートであることが好ましい。
【００２０】
また、前記第２の挿入部は複数の係合溝であることが好ましい。
【考案の効果】
【００２１】
本考案の電池固定構造は、嵌合部の周囲を防水部材で覆い、ケーシング上に設けた栓部材により、嵌合部の中に液体（例えば、水）が入ることを防ぐため、短絡が発生したり、電子装置の部品が故障したりすることを防ぐことができる。さらに、電池の一方の側部に設けたラッチ部と、電池の他方の側部に設けた係合部とを用いて位置決めを二重に行うため、ユーザが不用意に落としても、落ちた衝撃により収納空間から電池が跳ね出すことがない。そのため、電源供給が停止したりデータが失われたりすることを防ぐことができる。
【図面の簡単な説明】
【００２２】
【図１】従来の電池固定構造を示す斜視図である。
【図２Ａ】本考案の一実施形態による電池固定構造を示す斜視図である。
【図２Ｂ】本考案の一実施形態による電池固定構造を示すもう一つの斜視図である。
【図３Ａ】本考案の一実施形態による電池固定構造を示す斜視図である。
【図３Ｂ】本考案の一実施形態による電池固定構造を示す一部拡大断面図である。
【考案を実施するための形態】
【００２３】
以下、本考案の実施形態について図に基づいて説明する。なお、これによって本考案が限定されるものではない。
【００２４】
図２Ａを参照する。図２Ａに示すように、本考案の一実施形態による電池固定構造は、電子装置３のケーシング３１の中に電池２０を固定させる。電池固定構造は、電池２０の一方の側部に設けられた嵌合部２１と、他方の側部に設けられたラッチ部２３と、ケーシング３１に設けられた収納部２５と、を含む。本実施形態の電池２０は、電池本体２０１と、電池本体２０１に接続され、収納部２５を封止するために用いるカバープレート２０３と、を含む。
【００２５】
図２Ａおよび図２Ｂに示すように、嵌合部２１は、電池２０の側部に設けられ、複数の導電端子２１１（図３Ｂに示す）と、導電端子２１１の外側に設けられた防水部材２１３と、を含む。嵌合部２１は、複数の導電端子２１１の外側が防水部材２１３により覆われているが、接触端の部分が露出されている。嵌合部２１は、電子装置３のケーシング３１の中に設けられた第１の挿入部２５１に挿入する（以下で詳述する）。防水部材２１３は、液体（例えば、水）が浸入することを完全に防ぐことができるように、第１の挿入部２５１に密着される。防水部材２１３は、本実施形態では軟質ゴムブロックであるが、これだけに限定されるわけではなく、可撓性を備えて第１の挿入部２５１に密着させることができる限り、その他の部材を用いてもよい。
【００２６】
図２Ａおよび図２Ｂを同時に参照する。図２Ａおよび図２Ｂに示すように、電池２０は、一方の側部にラッチ部２３が設けられ、他方の側部に嵌合部２１が設けられている。ラッチ部２３の側部には、互いに隣接した複数の収納溝２３０が設けられている。収納溝２３０の中には、回転可能な偏心輪２３１がそれぞれ設けられている。偏心輪２３１には、回転により外側に突出されて位置決めを行うロック片２３３が一体成形されている。電池２０のカバープレート２０３の側部には、偏心輪２３１の位置に対応するように貫通溝２０５が設けられ、貫通溝２０５から偏心輪２３１の外側にそれぞれ設けられた凹部２３５が露出されている。さらに、収納溝２３０には、ストッパ板２３７が配置されている。ストッパ板２３７には、ロック片２３３を貫設させることができるように、ロック片２３３に対応するように挿入口２３９がそれぞれ設けられている。
【００２７】
図２Ａおよび図２Ｂを同時に参照する。図２Ａおよび図２Ｂに示すように、収納部２５には、電池２０を収納するために用いる案内溝２５０が側壁に設けられている。電池２０の側壁には、案内溝２５０に対応するようにガイドレール２０７が設けられている。収納部２５の中には、嵌合部２１に対応するように第１の挿入部２５１が設けられている。防水部材２１３が第１の挿入部２５１よりも略大きい可撓性を備えた軟質ゴムブロックであるため、第１の挿入部２５１に嵌合部２１を挿入すると密着し、防水を確実に行って内部に水が入らないようにすることができる。さらに、収納部２５には、偏心輪２３１のロック片２３３に対応するように、第２の挿入部２５３が設けられている。これにより、偏心輪２３１が回転すると、ロック片２３３が駆動して第２の挿入部２５３内に嵌入し、位置決めが行われる。この第１の挿入部２５１は、本実施形態の態様だけに限定されるわけではなく、嵌合部２１を固定することができる限り、ポートまたはその他の構造でもよい。第２の挿入部２５３は、ロック片２３３を固定することができる限り、複数の係合溝またはその他の構造でもよい。
【００２８】
図３Ａおよび図３Ｂに示すように、カバープレート２０３は、係合部２７を含む。係合部２７は、収納部２５の中に電池２０を取り付け、電池２０とケーシング３１との保持力を高めるために用いる。係合部２７は、カバープレート２０３の嵌合部２１に隣接した箇所に一体成形され、ケーシング３１は、係合部２７に対応する栓部材３１１を有する。栓部材３１１は、中にスプリング３１３が設けられ、底端とケーシング３１との間に間隔３１０が設けられているため、外力が加わると下方に変移する。
【００２９】
電池２０を固定する場合、栓部材３１１に係合部２７を係合して位置決めを行う。ロックを解除する場合は、栓部材３１１を押圧して下方に変位させると、栓部材３１１から係合部２７が外れる。栓部材３１１は、ロックが解除されると、スプリング３１３の弾性回復力により初期位置に戻る。栓部材３１１は、本実施形態では防水機能を備えた軟質ゴム体であるが、これだけに限定されるわけではなく、防水機能を備えて水が内部に浸入することを防ぐことができる限り、他の部材を用いてもよい。
【００３０】
また、ケーシング３１に電池２０を固定する際は、偏心輪２３１の外側に露出された凹部２３５の中に平板を挿入して偏心輪２３１の回転を制御し、第２の挿入部２５３（図２Ａに示す）にロック片２３３（図２Ａに示す）を嵌入し、固定支持させることができる。
【００３１】
本実施形態の嵌合部２１の外側に設けられた防水部材２１３は、第１の挿入部２５１へ完全に密着させることができるため、第１の挿入部２５１の中に水が入ることを防止し、ユーザが電子装置３を不用意に水中に落とした場合でも、内部に水が入って短絡が発生したり故障したりすることを防ぐことができる。また、カバープレート２０３上の嵌合部２１に隣接した箇所には、係合部２７が設けられている。電池２０の一方の側部には、嵌合部２１が設けられ、電池２０の他方の側部にはラッチ部２３が設けられている。この構成により、電池２０の位置決めを二重に行い、電池２０が収納部２５から外れたり、ユーザが不用意に落としても、収納部２５から電池２０が跳ね出すことを防ぐことができる。係合部２７は、ケーシング３１に配置された栓部材３１１に係合させることができる上、栓部材３１１を下方に押圧するだけで、容易にロックを解除することができるため、電池の着脱が容易に行える。また、栓部材３１１が防水構造であるため、ケーシング３１の内部に液体（例えば、水）が浸入することを完全に防ぐことができる。
【００３２】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３３】
１  携帯型電子装置
３  電子装置
１０  収納空間
１１  ケーシング
１３  電池
２０  電池
２１  嵌合部
２３  ラッチ部
２５  収納部
２７  係合部
３１  ケーシング
１１１  ポート
１１３  可動可能鉤
１３１  嵌合部
１３３  固定鉤
２０１  電池本体
２０３  カバープレート
２０５  貫通溝
２０７  ガイドレール
２１１  導電端子
２１３  防水部材
２３０  収納溝
２３１  偏心輪
２３３  ロック片
２３５  凹部
２３７  ストッパ板
２３９  挿入口
２５０  案内溝
２５１  第１の挿入部
２５３  第２の挿入部
３１０  間隔
３１１  栓部材
３１３  スプリング
【図１】
0003157084.tif 000003
【図２Ａ】
0003157084.tif 000004
【図２Ｂ】
0003157084.tif 000005
【図３Ａ】
0003157084.tif 000006
【図３Ｂ】
0003157084.tif 000007